(57)【要約】  誘導加熱コイルの外周部に設けられた線状発光体は、チップ型ＬＥＤで構成された光源と円環状の導光体とを有し、導光体に形成された挿入部の内側に光源が配置され、光源からの光が挿入部の側面より導光体内部に入射されることにより、導光体の上面を発光面として均一に発光させることができる。
2014112379.tif 000002
【特許請求の範囲】
【請求項１】
本体ケースの上面に設けた透光性の天板と、
前記天板上に載置された被加熱調理容器を、誘導加熱により加熱する誘導加熱コイルと、
前記天板の上側から見て前記誘導加熱コイルの外周部に設けられ、前記誘導加熱コイルの一部または全周にわたって発光する線状発光体と、を備え、
前記線状発光体は、チップ型ＬＥＤで構成された光源と、円環状または円弧状の導光体とを有し、
前記導光体は、前記導光体内部に前記光源を配置させる挿入部を有し、前記挿入部の内側に配置された前記光源からの光が前記挿入部の側面より前記導光体内部に入射され、前記導光体の上面が発光面である、誘導加熱調理器。
【請求項２】
前記導光体の前記挿入部は、前記導光体の底面に形成された溝部、または、前記導光体の内外周側面を貫通する貫通孔であり、
前記導光体において、前記挿入部に対して前記導光体の円周方向に隣接するそれぞれの導光部分が、前記導光体の上面と前記挿入部との間の導光部分を介して連続している、請求項１に記載の誘導加熱調理器。
【請求項３】
前記導光体の前記挿入部は、前記導光体の底面に形成された溝部、または、前記導光体の内外周側面を貫通する貫通孔であり、
前記導光体において、前記挿入部に対向する前記導光体の上面の部分も前記発光面の一部である、請求項１に記載の誘導加熱調理器。
【請求項４】
前記光源は、基板の両面に前記チップ型ＬＥＤをそれぞれ配置したものであり、各チップ型ＬＥＤからの光が前記導光体の前記挿入部の対向するそれぞれの側面から前記導光体内部に入射する、請求項１から３のいずれか１つに記載の誘導加熱調理器。
【請求項５】
前記光源は、基板上に前記チップ型ＬＥＤを配置したものであり、
前記導光体の円周方向における前記挿入部の幅寸法は、前記基板および前記チップ型ＬＥＤの厚み寸法に合わせて設定され、前記光源の位置が前記挿入部によって規制される、請求項１から４のいずれか１つに記載の誘導加熱調理器。
【発明の詳細な説明】
【技術分野】
【０００１】
本発明は、一般家庭で用いられる誘導加熱調理器に関するものである。
【背景技術】
【０００２】
従来、この種の誘導加熱調理器としては、様々なものが知られている。例えば、本体ケースの上面に設けた透光性の天板と、この天板上に設けられた被加熱調理容器が載置される部分であって誘導加熱により被加熱調理容器を加熱する加熱部と、天板の下方に加熱部に対応して設けた誘導加熱コイルと、誘導加熱コイルの外周部に設けられ誘導加熱コイルの外周に沿って天板方向（上向き）に発光する線状発光体とを備えたものがある（例えば、特許文献１参照）。【０００３】
このような従来の誘導加熱調理器が備える線状発光体は、円環状に形成された導光体と、この導光体の一部に形成された光導入部と、光源とを有する。導光体は、光を導光する断面として、短辺と短辺より長い長辺を有する四角形状の断面形状を有する。また、導光体は、光源から光を入射するとともに四角形状の断面の一つの短辺側の面を、光を外部に放射する発光面とし、長辺沿いの方向を厚み方向とし、発光面に対向する面に光反射層が設けられた構成を有する。線状発光体がこのような構成を有することにより、誘導加熱コイルの外周に沿って発光することができ、天板上に加熱部を表示することができる。
【先行技術文献】
【特許文献】
【０００４】
【特許文献１】特開２００３−１５５６０号公報
【発明の概要】
【発明が解決しようとする課題】
【０００５】
このような従来の線状発光体の構成では、図６および図７に示すように、光源として砲弾型ＬＥＤ５１が使用されている。砲弾型ＬＥＤ５１は３０〜６０度の視野角を有しており、砲弾型ＬＥＤ５１から導光体５２内に入射した光が均一に広がった状態とさせるためには、この視野角を考慮した距離が必要である。そのため、図６および図７に示すように、円環状の導光体５２に対して、円環状の外側より接続された複数の光導入部５２ａを設けて、それぞれの光導入部５２ａの端部には砲弾型ＬＥＤ５１および砲弾型ＬＥＤ５１が実装された基板を接続した構成が採用されている。しかしながら、このように円環状の導光体５２に対して複数の光導入部５２ａを接続した構成では、線状発光体を設けるために多くのスペースが必要となるという課題がある。【０００６】
また、図８に示すように、大略円環状の導光体６２の１箇所から円周方向それぞれに光を入射させるように２個の砲弾型ＬＥＤ６１を設けた構成では、砲弾型ＬＥＤ６１を設けた部分では線状発光体を光らせることができない。そのため、このような構成の導光体６２では、円を途切れさせず、１周全体を点灯させることができない。【０００７】
また、光源として砲弾型ＬＥＤを用いる場合、砲弾型ＬＥＤの端子の足の曲がり度合い、基板の製作精度や設置のバラツキなど、光源の角度や位置のズレがどうしても生じやすくなる。そのため、このような従来の線状発光体では、光源から導光体への光の入射部分において、光のバラツキやロスが大きいという課題がある。【０００８】
本発明は、従来技術の有するこのような問題点に鑑みてなされたものであり、円環状もしくは円弧状をほぼ均一に発光させることができ、かつ省スペースで、また組立によるバラつきを抑制し、鮮明な線状が得やすい線状発光体を実現し、誘導加熱コイルの加熱範囲を明確に表示することができる誘導加熱調理器を提供することを目的とする。
【課題を解決するための手段】
【０００９】
上記目的を達成するために、本発明の一の態様の誘導加熱調理器は、本体ケースの上面に設けた透光性の天板と、前記天板上に載置された被加熱調理容器を、誘導加熱により加熱する誘導加熱コイルと、前記天板の上側から見て前記誘導加熱コイルの外周部に設けられ、前記誘導加熱コイルの一部または全周にわたって発光する線状発光体と、を備え、前記線状発光体は、チップ型ＬＥＤで構成された光源と、円環状または円弧状の導光体とを有し、前記導光体は、前記導光体内部に前記光源を配置させる挿入部を有し、前記挿入部の内側に配置された前記光源からの光が前記挿入部の側面より前記導光体内部に入射され、前記導光体の上面を発光面とした、ものである。
【発明の効果】
【００１０】
本発明によれば、円環状もしくは円弧状をほぼ均一に発光させることができ、かつ省スペースで、また組立によるバラつきを抑制し、鮮明な線状が得やすい線状発光体を得ることができる。よって、誘導加熱コイルの加熱範囲を明確に表示することができる誘導加熱調理器を提供できる。
【図面の簡単な説明】
【００１１】
【図１】本発明の実施の形態１における誘導加熱調理器の斜視図
【図２】実施の形態１の線状発光体の分解斜視図
【図３】図２の線状発光体における光源周辺の部分拡大斜視図
【図４】実施の形態１の線状発光体を下側から見た斜視図
【図５】図４の線状発光体をＡ方向から見た部分断面図
【図６】従来の線状発光体の図
【図７】従来の線状発光体の図
【図８】従来の線状発光体の図
【発明を実施するための形態】
【００１２】
第１の発明の誘導加熱調理器は、本体ケースの上面に設けた透光性の天板と、前記天板上に載置された被加熱調理容器を、誘導加熱により加熱する誘導加熱コイルと、前記天板の上側から見て前記誘導加熱コイルの外周部に設けられ、前記誘導加熱コイルの一部または全周にわたって発光する線状発光体と、を備え、前記線状発光体は、チップ型ＬＥＤで構成された光源と、円環状または円弧状の導光体とを有し、前記導光体は、前記導光体内部に前記光源を配置させる挿入部を有し、前記挿入部の内側に配置された前記光源からの光が前記挿入部の側面より前記導光体内部に入射され、前記導光体の上面を発光面とした、ものである。
【００１３】
このような構成によれば、円環状もしくは円弧状をほぼ均一に発光させることができ、かつ省スペースで、また組立によるバラつきを抑制し、鮮明な線状が得やすい線状発光体を得ることができる。よって、誘導加熱コイルの加熱範囲を明確に表示することができる誘導加熱調理器を提供できる。
【００１４】
第２の発明の誘導加熱調理器は、特に第１の発明の前記導光体において、前記導光体の前記挿入部は、前記導光体の底面に形成された溝部、または、前記導光体の内外周側面を貫通する貫通孔であり、前記導光体において、前記挿入部に対して前記導光体の円周方向に隣接するそれぞれの導光部分が、前記導光体の上面と前記挿入部との間の導光部分を介して連続している、ものである。
【００１５】
このような構成によれば、光源が配置される導光体の溝部または貫通孔の部分においても、導光部分が連続しているため、円環状もしくは円弧状をほぼ均一かつ連続的に発光させることができ、鮮明な線状が得やすい線状発光体を得ることができる。
【００１６】
第３の発明の誘導加熱調理器は、特に第１の発明の前記導光体において、前記導光体の前記挿入部は、前記導光体の底面に形成された溝部、または、前記導光体の内外周側面を貫通する貫通孔であり、前記導光体において、前記挿入部に対向する前記導光体の上面の部分も前記発光面の一部とした、ものである。
【００１７】
このような構成によれば、光源が配置される導光体の溝部または貫通孔の部分においても、導光部分が連続しているため、円環状もしくは円弧状をほぼ均一かつ連続的に発光させることができ、鮮明な線状が得やすい線状発光体を得ることができる。
【００１８】
第４の発明の誘導加熱調理器は、特に第１から第３のいずれか１つの発明において、前記光源は、基板の両面に前記チップ型ＬＥＤをそれぞれ配置したものであり、各チップ型ＬＥＤからの光が前記導光体の前記挿入部の対向するそれぞれの側面から前記導光体内部に入射する、ようにしたものである。このような構成よれば、導光体の１箇所に設けた光源により、効率よく光量を確保することができるとともに、省スペース化を図ることができる。
【００１９】
第５の発明の誘導加熱調理器は、特に第１から第４のいずれか１つの発明において、前記光源は、基板上に前記チップ型ＬＥＤを配置したものであり、前記導光体の円周方向における前記挿入部の幅寸法は、前記基板および前記チップ型ＬＥＤの厚み寸法に合わせて設定され、前記光源の位置が、前記挿入部によって規制される、ようにしたものである。このような構成によれば、光源の位置を挿入部によって規制することができ、光源の配置のバラツキによる入射される光のロスを低減することができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における、誘導加熱調理器２０の斜視図である。図１に示すように、誘導加熱調理器２０は、本体ケース１と、本体ケース１の上面に設けられた透光性の天板（図示せず）と、有する。また、本体ケース１の内部には、天板２上に載置した鍋等の被加熱物（被加熱調理容器）を誘導加熱するための複数の誘導加熱コイル３と、誘導加熱コイル３に高周波電流を供給するインバータ（図示せず）と、制御部等とが配置されている。また、本体ケース１の内部には、誘導加熱コイル３やインバータを冷却する冷却ファン（図示せず）も配置されている。
【００２２】
さらに、誘導加熱調理器２０には、それぞれの誘導加熱コイル３に対応して、誘導加熱が可能な範囲（加熱範囲）を示す線状発光体１０と、使用者が火力等の設定操作を行い、機器の設定状態を表示するための操作表示部６とが備えられている。
【００２３】
ここで、誘導加熱調理器は、ガス調理器等と異なり火を使わないために安全で清掃も簡単であるという利点があるものの、火を使わないために使用中であることが使用者にとって分かりにくい場合もある。そこで、誘導加熱調理器が使用中である場合には機器の上側からみて誘導加熱コイル３の外周部が円もしくは円弧状に光るように線状発光体１０が設けられている。本体ケース１内に設けられた線状発光体１０からの光を、天板の上側から使用者が視認することにより、使用中の誘導加熱コイル３を使用者が把握することができる。
【００２４】
本実施の形態１の誘導加熱調理器２０が備える線状発光体１０の分解斜視図を図２に示す。また、図２の線状発光体１０における光源周辺の部分拡大斜視図を図３に示し、線状発光体１０を下側から見た斜視図を図４に示す。
【００２５】
図２に示すように、線状発光体１０は、光源１１と導光体１２とを備えている。
【００２６】
光源１１には、電球やＬＥＤ（発光ダイオード）などが用いられるが、特に発光ダイオードは発光色が色々あり目的に応じて選択できるので好ましい。本実施の形態１では、光源１１としてチップ型ＬＥＤ（表面実装型ＬＥＤ）２１を用いており、例えば２個のチップ型ＬＥＤ２１が１枚の基板２２の両面にそれぞれ実装されて配置されている。
【００２７】
導光体１２は光源１１より入射した光を導光するもので、円環状の外形を有し、誘導加熱コイル３の外周側に配置されている。導光体１２は、四角形状の断面形状を有しており、その上面が発光面１２ａとなっている。導光体１２は、アクリル樹脂、ポリカーボネイト、ポリアミド、ポリイミドなどの合成樹脂、またはガラスなどの透明な材料により形成されている。図２および図３に示すように、導光体１２は、例えば誘導加熱コイル３を保持する円環状のコイルベース７における溝内に挿入された状態にて固定されている。
【００２８】
また、図４に示すように、導光体１２の底面１２ｂには、複数の光反射溝１３が形成されている。光反射溝１３は、導光体１２内において導かれる光を拡散反射させるものであり、例えば光源１１からの距離に応じて、光反射溝１３の配置個数や配置密度を設定することで、導光される光を効果的に拡散反射させることができる。なお、導光体１２の底面１２ｂに対して粗面化加工を施して光を拡散反射させてもよく、また、底面１２ｂに階段状に複数の段部を設けて光を散乱させるようにしてもよい。
【００２９】
また、導光体１２には、円環状の一部に底面（下面）１２ｂ側から導光体１２の高さ方向に溝部２３が形成されている。ここで、図４において矢視Ａから見た線状発光体１０の部分拡大図（一部断面図）を図５に示す。
【００３０】
図５に示すように、導光体１２の底面１２ｂには、上面（発光面１２ａ）側へと向かう溝部２３が形成されている。溝部２３は、基板２２およびそれぞれのチップ型ＬＥＤ２１の厚み寸法に合わせて形成されており、基板２２およびその両面に配置されたチップ型ＬＥＤ２１が、溝部２３内に挿入配置されている。溝部２３のそれぞれの側面２３ａが、チップ型ＬＥＤ２１からの光が入射する入射面２３ａ（光導入部）となっている。また、溝部２３の底面２３ｂと導光体１２の発光面１２ａとの間には、導光部分が存在している。そのため、導光体１２において、溝部２３のそれぞれの側面２３ａに隣接する導光部分が、溝部２３の底面２３ｂと導光体１２の発光面１２ａとの間の導光部分を介して連続している。すなわち、円環状の導光体１２では、溝部２３の底面２３ｂに対向する上面部分も、発光面１２ａの一部となっており、発光面１２ａは円環状に連続している。
【００３１】
このように、導光体１２の底面１２ｂに溝部２３が形成され、溝部２３内に基板２２およびチップ型ＬＥＤ２１が挿入配置されることで、導光体１２内部に光源１１が配置された状態とされている。本実施の形態では、導光体１２の底面１２ｂに形成された溝部２３が、導光体１２内部に光源１１（基板２２およびチップ型ＬＥＤ２１）を配置させる挿入部の一例となっている。
【００３２】
図２および図３に示すように、導光体１２の溝部２３内にその一部が挿入配置された基板２２の他部は、コイルベース７に設けられた基板ホルダ８によって支持されている。また、基板２２の他部には、コネクタなどの部品が接続されている。なお、基板ホルダ８の近傍において、導光体１２の発光面１２ａ以外の部分から光漏れが生じないように、基板ホルダ８には遮光カバー９が取り付けられている。
【００３３】
以上のように構成された線状発光体１０について、その動作、作用について以下に説明する。
【００３４】
使用者が操作表示部６を操作して、誘導加熱コイル３による加熱を開始すると、制御部によって、加熱が開始された誘導加熱コイル３に対応した線状発光体１０のチップ型ＬＥＤ２１が点灯するように信号が送られる。
【００３５】
このとき、光源１１からの光は、溝部２３の側面（入射面２３ａ（光導入部））より導光体１２の内部に入射し、導光体１２中を導光する。そして、光の一部は導光体の下面に設けられた光反射溝１３により拡散反射しながら、導光体１２の円周方向に沿って導かれ、導光体１２内部に均一に光が広がる。このように拡散反射した光は、光反射溝１３と対向する発光面１４へと向かい、発光面１４より外部に放射される。その結果、導光体１２の円周方向（光の進行方向）に沿って鮮明な線状かつ円環状の発光を得ることができる。
【００３６】
また、基板２２の両面にチップ型ＬＥＤ２１が配置され、各チップ型ＬＥＤ２１からの光が、溝部２３のそれぞれの側面を入射面２３ａとして導光体１２の円周方向からそれぞれ入射される。そのため、２個のチップ型ＬＥＤ２１によって光量を確保することが可能となる。また、光源１１として、チップ型ＬＥＤ２１を用いているため、従来の砲弾型ＬＥＤを用いた構成と比較して格段に省スペース化を図ることができる。これによって、本実施の形態１のように、円環状の導光体１２の一部に光源１１を配置した場合であっても、上側から見た際の光源１１の構造物による光ムラを最小限に抑えることができる。
【００３７】
また、図５に示すように、導光体１２に設けられた溝部２３における円周方向の幅寸法Ｙは、基板２２の両面にチップ型ＬＥＤ２１を配置した厚み寸法Ｘ（すなわち基板２２と２個のチップ型２１とを足した厚み寸法）とほぼ同じ寸法に設定されている。そのため、チップ型ＬＥＤ２１が実装された基板２２を溝部２３内に挿入すれば、導光体１２に対する光源１１の位置決めを行うことができる。
【００３８】
これにより、各部品の配置バラツキを大幅に抑制し、この配置バラツキによる光の入射部分における光のロスを低減することができる。すなわち、光源１１の位置決めを行う溝部２３の側面自体が入射面２３ａであり、この入射面２３ａに対して直接的に光源１１が位置決めされている。そのため、間接的な位置決めと比較すると、その位置決め精度を向上させることができる。
【００３９】
また、従来、複数個の光源を設ける場合には、光源と同数の入光部分を設ける必要があったが、本実施の形態１の線状発光体１０では、例えば１つの溝部２３を導光体１２に設けて、２個のチップ型ＬＥＤ２１を配置させることができる。なお、溝部２３の幅寸法Ｙは、基板２２および２個のチップ型ＬＥＤ２１の厚み分（厚み寸法Ｘ）を挿入配置できればよいため、例えば、７〜８ｍｍ程度に設定される。また、基板２２およびチップ型ＬＥＤ２１が挿入配置された状態にて、入射面２３ａよりチップ型ＬＥＤ２１に対して圧力が付加されないように、溝部２３の幅寸法Ｙを設定することが好ましい。
【００４０】
また、図５に示すように、溝部２３の幅を２段階として、基板２２の厚みに合わせた部分と、基板２２およびチップ型ＬＥＤ２１の厚みに合わせた部分とを設けるようにしてもよい。このような構成において、基板２２の厚みに合わせた部分の底面に基板２２を接触させることで、チップ型ＬＥＤ２１の溝部２３内における位置決めを行うようにすれば、チップ型ＬＥＤ２１を保護しながら光源１１の確実な位置決めを行うことができる。
【００４１】
チップ型ＬＥＤ２１は、砲弾型ＬＥＤよりも視野角が広い。例えば、砲弾型ＬＥＤは、視野角は約３０度程度しかないのに対して、チップ型ＬＥＤでは約１５０度程度ある。このため、従来のように発光状態を均一にするために光導入部を大きくして距離をとる必要がなく、チップ型ＬＥＤ２１から導光体１２内に入光された光は、短い距離にて導光体１２の厚み方向に広がることになる。そのため、本実施の形態１では、溝部２３の側面２３ａに近接させてチップ型ＬＥＤ２１を配置することが可能となる。すなわち、従来の砲弾型ＬＥＤを用いた構成においては、図６および図７に示すように、発光面において発光が均一なるまで最低でも約１０ｍｍ必要であるため、光導入部を大きくとる必要があったが、チップ型ＬＥＤでは１〜２ｍｍ程度で発光が均一になる。したがって、チップ型ＬＥＤ２１を円環状の導光体１２の一部に配置したとしても、その上方の発光面１２ａは多少暗くなる程度である。なお、チップ型ＬＥＤ２１の上方の発光面１２ａの光量が不足する場合には、この部分に適宜シボ加工（粗面仕上げ）を施すことで、光を散乱させて発光を均一にすることができる。また、導光体１２において、導光部分が円環状に連続しているため、導光体１２内を導光されてこの部分にまで戻ってくる光もあるため、明るさは確保される。
【００４２】
なお、本発明でいう均一発光とは、光学的に均一というのでなく、見た目、あるいは実際の感じがほぼ均一であることをいう。
【００４３】
また、図５に示すように、円環状の導光体１２では、溝部２３の底面２３ｂに対向する上面部分も、発光面１２ａの一部となっており、発光面１２ａは円環状に連続している。すなわち、導光体１２の発光面１２ａは、上から見ると円環状に途切れることなく形成されているので、光ムラを抑えて、円環状の導光体１２の一周をほぼ均一に発光させることができる。
【００４４】
上述の実施の形態では、線状発光体１０が円環状の導光体１２を備えるような場合を一例として説明したが、このような場合についてのみ限られない。円周方向に一周連続するような導光体を用いるような場合に代えて、円弧状の導光体が用いられるような場合であってもよい。その場合、円弧状の導光体の一部に溝部を形成して、溝部内に光源が配置される。
【００４５】
また、上述の実施の形態では、光源１１として、基板２２の両面に２個のチップ型ＬＥＤ２１が実装配置されたものを用いる場合を例として説明したが、基板の片面に１個のチップ型ＬＥＤが実装配置された光源が用いられる場合であってもよい。
【００４６】
また、上述の実施の形態では、導光体１２の底面１２ｂに形成された溝部２３が、導光体１２内部に光源１１（基板２２およびチップ型ＬＥＤ２１）を挿入配置させる挿入部の一例である場合について説明したが、このような場合についてのみ限られない。例えば、円環状または円弧状の導光体の内周側側面と外周側側面とを貫通するような貫通孔を挿入部として設け、貫通孔内に基板およびチップ型ＬＥＤを挿入配置させるようにしてもよい。この場合、貫通孔において、導光体の円周方向に対応するそれぞれの内側面が、導光体内部への光の入射面となる。また、このように挿入部として貫通孔が採用される場合であっても、貫通孔の内面（上方側内面）に対向する導光体の上面の部分も、発光面の一部となっており、発光面は円環状に連続する。そのため、導光体の発光面を、上から見て円環状に途切れることなく形成することができる。なお、貫通孔の貫通方向は、水平方向に限らず、水平方向に対して傾斜した方向であってもよい。
【００４７】
なお、上記様々な実施の形態のうちの任意の実施形態を適宜組み合わせることにより、それぞれの有する効果を奏するようにすることができる。
【００４８】
本発明は、添付図面を参照しながら好ましい実施の形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００４９】
以上述べたように、本発明によれば、簡単な構成で、信頼性が高く、鮮明な線状が得やすい線状発光体を得ることができ、この線状発光体を用いることにより据え置き型やキッチンカウンターに組み込む誘導加熱調理器の天板上に加熱範囲を明確に表示することができる。
【符号の説明】
【００５０】
１  本体ケース
３  誘導加熱コイル
６  操作表示部
７  コイルベース
１０  線状発光体
１１  光源
１２  導光体
１２ａ  発光面
１２ｂ  底面
１３  光反射溝
２０  誘導加熱調理器
２１  チップ型ＬＥＤ
２２  基板
２３  溝部
２３ａ  入射面
【図１】
2014112379.tif 000003
【図２】
2014112379.tif 000004
【図３】
2014112379.tif 000005
【図４】
2014112379.tif 000006
【図５】
2014112379.tif 000007
【図６】
2014112379.tif 000008
【図７】
2014112379.tif 000009
【図８】
2014112379.tif 000010
【国際調査報告】
2014112379.tif 000011
2014112379.tif 000012
2014112379.tif 000013
2014112379.tif 000014